(57)【要約】【課題】メガネ用レンズを部分的なリムと高張力糸で保持するメガネに於いて、レンズの脱着を簡単に出来る様にする事と、糸切れを防止すること。【解決手段】リムと高長力糸の為の連結装置１１０であって、金属性の円筒形でその長軸方向に平行にスリット部１３０が設けられ、前記円筒形の内部穴１３２には高張力糸１４０が挿入される様にされ、前記円筒形の装置のほぼ全体はすぼめられる事によりリム端部の溝に嵌合されるようにされ、そして、前記円筒形の装置の内壁面１３４には高張力糸用抜け防止用爪部１５０が少なくとも一箇所以上設けられ、外壁面１３６にはリムからの抜け防止用爪部１５１が前記内壁部の爪とは逆の向きに少なくとも一箇所以上設けられた事を特徴とする、リムと高張力糸との連結装置の提供と、該連結装置をメガネに使用する事により解決を図る。【選択図】図１
2004138994.tif 000002
【特許請求の範囲】
【請求項１】
メガネ用レンズを部分的なリムと高張力糸で保持するメガネに於いて、前記リムと前記高長力糸を連結する為の装置であって、金属性の円筒形でその長軸方向に平行にスリット部が設けられ、前記円筒形の内部穴には高張力糸が挿入される様にされ、前記円筒形の装置のほぼ全体はすぼめられる事によりリム端部の溝に嵌合されるようにされ、そして、前記円筒形の装置の内壁面には高張力糸用抜け防止用爪部が少なくとも一箇所以上設けられ、外壁面にはリムからの抜け防止用爪部が前記内壁部の爪とは逆の向きに少なくとも一箇所以上設けられた事を特徴とする、リムと高張力糸との連結装置。
【請求項２】
メガネ用レンズを部分的なリムと高張力糸で保持するメガネに於いて、高張力糸端部を前記請求項１記載のスリット付き円筒形連結装置の内部穴に、内壁面の抜け防止用の爪が起きていない方向から挿入嵌合し、前記スリット付き円筒形連結装置の径をすぼめる様に力を加え、すぼめたままリム端部の溝部に，外壁面の抜け防止用爪が起きていない方向から挿入し、リム端部の溝部の糸通し用穴部の角部に前記抜け防止用爪が鉤着されるように連結された事を特徴とするメガネ枠。
【請求項３】
前記請求項１記載のスリット付き円筒形連結装置の外壁面の抜け防止用爪が鉤着される為の部分的リムの端部構造で、リム端部糸通し用溝部内部表面に凹凸状に形成された横溝が少なくとも一本以上設けられた事を特徴とするメガネ枠。
【発明の詳細な説明】
【０００１】
【発明の属する技術分野】
本発明は、メガネ用レンズを部分的なリムと高張力糸で保持するメガネの為の、リムと高張力糸との連結装置及びそれを使用したメガネに関する。
【０００２】
【従来の技術】
従来より、レンズを部分的なリムと高張力糸で保持するタイプのメガネは多数提供されて来ている。例えば、図９の様に、レンズ周面に設けられたレンズ溝Ｍに沿わされた高張力糸１４０ｃを、前記リムの端部に設けられた溝から外側に設けられた二箇所の穴１６４ａに縫う様に通し、前記高張力糸の自由端部をレンズＬとリム溝１６２ｃとの間に挟み込んでレンズを保持する手段が多く使用されて来ている。
【０００３】
【発明が解決しようとする課題】
しかしながら、上記図９の様な構造の物は、高張力糸をリムの溝部の穴に縫う様に通し、レンズとリムの間に挟み込むには非常に手間が掛かり、熟練を要する。尚且つ、デモレンズを入れる時と、デモレンズを外して実際に装着用のレンズを入れる時と、補修の為等にレンズを外して又入れる時と、何回も同じ細かい作業をしなければならず、特に、小売の現場に於いては、大変であった。その為、レンズを外す時は、殆どの場合前記高張力糸を切断して外し、又新しい糸でレンズを保持装着する事が行われていたのが現状で、それもまた無駄な事となっていた。
【０００４】
又，一方、装着者が眼鏡を使用中に於いても、高張力糸が、リム穴部の角で擦り切れてしまいレンズの脱落という重大事故も発生していた。
【０００５】
【課題を解決するための手段】
そこで本発明に於いては、上記課題を解決する為に、まず第一に、メガネ用レンズを部分的なリムと高張力糸で保持するメガネに於いて、前記リムと前記高長力糸を連結する為の装置であって、金属性の円筒形でその長軸方向に平行にスリット部が設けられ、前記円筒形の内部穴には高張力糸が挿入される様にされ、前記円筒形の装置のほぼ全体はリム端部の溝に嵌合されるようにされ、そして、前記円筒形の内壁面には高張力糸用抜け防止用爪部が少なくとも一箇所以上設けられ、外壁面にはリムからの抜け防止用爪部が前記内壁部の爪とは逆の向きに少なくとも一箇所以上設けられた事を特徴とする、リムと高張力糸との連結装置を採用した。
【０００６】
又、メガネ用レンズを部分的なリムと高張力糸で保持するメガネに於いて、高張力糸端部を上記記載のスリット付き円筒形状の連結装置の内部穴に、抜け防止用の爪が起きていない方向から挿入嵌合し、前記スリット付き円筒形の連結装置の径をすぼめる様に力を加え、すぼめたままリム端部の溝部に，抜け防止用爪が起きていない方向から挿入し、リム端部の溝部の糸通し用穴部角に前記抜け防止用爪が鉤着されるように連結された事を特徴とするメガネ枠を提供する事により上記課題の解決を図った。ここで部分的なリムは金属製でも樹脂製の物どちらであっても良い。
【０００７】
又、更に、スリット付き円筒形連結装置の外壁面の抜け防止用爪が鉤着される為の部分的リムの端部構造で、リム端部糸通し用溝部内部表面に凹凸状に形成された横溝が少なくとも一本以上設けられた事を特徴とするメガネ枠を提供する事により更なる課題の解決を図った。
【０００８】
すなわち、誰でもが，レンズ吊り上げ用の高張力糸を簡単に嵌めることが出来、更にリム端部にも嵌めこむ事が可能となった。又、糸の摩擦による、擦り切れ切断も防げる事となる。以下図１から図９によって本発明を詳述する。
【０００９】
【実施例】
図１は本発明の連結装置１１０の斜視図であって、金属性の円筒１２０であって，その長軸方向には平行にスリット部１３０が設けられ、前記円筒形の連結装置１１０の内部穴１３２には高張力糸１４０が挿入される様にされており、そして、前記円筒形の連結装置１１０のほぼ全体は図５の如くリム端部の溝１６２に、径をすぼめる様にされて嵌めこまれる。
【００１０】
そして、前記スリット入り円筒形連結装置１１０の内壁面１３４には、高張力糸１４０を挿入してリム溝に嵌合した後、抜けない様に抜け防止用の爪１５０が少なくとも一箇所以上設けられる。勿論、該爪１５０は複数列に複数個設けられても良い。そしてスリット入り円筒形連結装置１１０の外壁面１３６にはリムからの抜け防止用爪１５１が，前記内壁部の爪１５０とは逆の向きに少なくとも一箇所以上設けられる。この爪１５１も勿論複数列に複数個設けられても構わない。
【００１１】
図２は図１のＡ−Ａ’断面をＧの方向から見た断面図であり、この場合は爪１５０，１５１と円筒１２０が同一の材料で一体的に設けられた物である。又、図３の様にプレス等によって一部変形加工する様にされても構わない。
【００１２】
図４は図２の状態から高張力糸１４０を内部穴１３２に抜け防止用の爪１５０が起こされていない方向から挿入し、円筒形連結装置１１０の径をすぼめる様にすると，高張力糸１４０に爪１５０が食い込むようになり脱落防止効果により抜けなくなる。この内部爪１５０は多数個が内壁面に設けられる場合は凸状隆起物であっても構わない。
【００１３】
図５は本発明の実施例の従来の部分的なリムを使用してメガネとして組みたてる場合の説明用の分解斜視図であって、まず、高張力糸１４０ａの自由端部１４１ａをスリット入り円筒形連結装置１１０ａ（以下連結装置と略す）の内部穴１３２ａに設けられた抜け防止用の爪１５０ａの起こされていない方向から挿入し、出来れば上部面まで挿入し、そして次ぎに連結装置１１０ａの径をすぼめる様に力Ｆを加える。この場合小さなペンチ又はニッパー等で良い。その力Ｆを加えてすぼめた状態で少し高張力糸１４０ａを下方に引いて見て引っ掛かり状態を見ておく事が好ましい。それから、連結装置１１０ａをすぼめたままの状態でリム１６０の端部の溝１６２に、連結装置外壁面に設けられた抜け防止用の爪１５１ａの起こされていない方から挿入する。そして、そのまま押し込んで行き、従来の部分枠に使用されている糸止め用の穴１６４に爪１５１ａが引っ掛かるまで押し込む。その状態の一部断面が図７であり、高張力糸１４０ａはレンズＬに下方に引っ張られても下に抜ける事は無く、又連結装置もその外壁面の爪１５１ａとリム内糸通し用穴部の角部に前記抜け防止用爪が鉤着される事と、連結装置がすぼめられて弾性変形した円筒の戻ろうとする力、すなわち、リム溝内周面への開拡摩擦力によりしっかりリム内に保持される事が可能となった。そして、図７の如く、高張力糸１４０ｂ，又は円筒１１０ｂ端部を持ち、少し上方へ押し上げる様にして円筒１１０ｂを回すことにより、爪が外れてリムと連結装置が分離可能となる。又、記すまでも無いが、図５に表記された如く、高張力糸の径ｎは円筒の内径ｈとほぼ同じか好ましくは少し小さく、又円筒外径ｍはリム溝の径ｋにほぼ等しいか好ましくは少し小さい方が良い。この本発明の連結装置によると、従来の部分リムの構造のメガネ枠でも使用出来従来のメガネフレームを無駄にする事無く省資源にもつながる。
【００１４】
図６は、本発明の他の実施例の分解斜視図であり、この場合は、本発明の他の実施例である部分的なリムに連結装置を連結した場合であり、リム溝内部表面１６６ａに少なくとも、一本以上の凹凸状に形成された横溝１６８を刻設する。好ましくは横溝は複数本設けられることが良く、高張力糸１４０ａのレンズ周長の微調整が簡単に行えるようになる。その場合は，図８の如く、高張力糸１４０ｂ，又は円筒１１０ｃ端部を持ち、少し上方へ押し上げる様にして円筒１１０ｂを回すことにより、爪が外れてリムと連結装置が分離可能となる。又、再度嵌める時は上記した通りに簡単に嵌め合わせる事が出来る。又、高張力糸がリムの外に出ずデザイン的に見栄えも良くなる。
【００１５】
図９は従来のメガネ用レンズを部分的なリムと高張力糸で保持するメガネの一部断面図であり、上記した様に、高張力糸１４０ｃをリム溝の糸通し用穴１６４ａに縫う様に通すのも大変であるし、又外すのにも手間が掛かり実際上は糸を切断して外している様な状況である。又、リム溝１６２ｃの糸穴１６４ａの角１６５で高張力糸が擦り切れる事故も多発していた。
【００１６】
【発明の効果】
上述した様に、本発明によると、レンズを部分的なリムと高張力糸で保持するタイプのメガネに於いては、誰でもが，レンズ吊り上げ用の高張力糸を簡単に嵌め外しすることが出来、更にリム端部にも嵌めこむ事が簡単に可能となった。又、高張力糸のリム穴角部との摩擦による、擦り切れ切断も防げる事となり安心して装着出来る事と成った。
【図面の簡単な説明】
【図１】本発明の連結装置の斜視図
【図２】図１のＡ−Ａ’断面をＧの方向から見た図
【図３】本発明の連結装置の変化例断面図
【図４】図２から更に高張力糸を嵌合した断面図
【図５】本発明の連結装置を使用してメガネとして組立てる分解斜視図
【図６】本発明の他の実施例の分解斜視図
【図７】本発明の連結装置を従来のリムと連結させた要部断面図
【図８】本発明の連結装置を本発明の新規なリムと連結させた要部断面図
【図９】従来の連結部要部断面図
【符号の説明】
１１０、　連結装置
１２０、　円筒
１３０、　スリット部
１３２、　円筒内部穴
１３４、　円筒内壁面
１３６、　円筒外壁面
１４０、　高張力糸
１５０、　内部爪
１５１、　外部爪
１６０、　リム
１６２、　リム溝
１６４、　リム溝糸通し穴
１６５、　リム溝糸通し穴角部
１６６、　リム溝内部表面
１６８、　凹凸状横溝
Ｌ、　　レンズ
Ｍ、　　レンズ溝
Ｆ、Ｇ、　力
【図１】
2004138994.tif 000003
【図２】
2004138994.tif 000004
【図３】
2004138994.tif 000005
【図４】
2004138994.tif 000006
【図５】
2004138994.tif 000007
【図６】
2004138994.tif 000008
【図７】
2004138994.tif 000009
【図８】
2004138994.tif 000010
【図９】
2004138994.tif 000011